(57)【要約】【課題】インシュレータを大型化を抑制しながらプラグコンタクト及びリセプタクルコンタクトの多極化を図ることができ、しかもプラグコンタクトとリセプタクルコンタクトを安定した状態で接触させることが可能なコネクタを提供する。【解決手段】リセプタクルコンタクト５０に二股状接続部５３を形成し、プラグコンタクト１１０に二股状接続部に挟み込まれる接触部１１１を形成し、プラグインシュレータ７１における収納凹部２２の底面との対向部に電線１００及びプラグコンタクト１１０を一平面上で嵌合保持する嵌合保持溝７８〜８２、８４〜８８を形成し、接触部１１０をプラグインシュレータに対して電線の他端部側と反対側に突出しかつ上記一平面に対して直交する平板とし、各リセプタクルコンタクトを同じ方向に向ける。【選択図】図１５
2009181769.tif 000002
【特許請求の範囲】
【請求項１】
収納凹部を形成したリセプタクルインシュレータ、及び、該リセプタクルインシュレータに一方向に並んだ状態で支持した、回路基板に実装される複数のリセプタクルコンタクト、を有するリセプタクルコネクタと、
上記収納凹部に全体が収納可能な寸法のプラグインシュレータ、該プラグインシュレータに上記一方向に並んだ状態で支持した、上記リセプタクルコンタクトと同数のプラグコンタクト、及び、各プラグコンタクトにその一端部をそれぞれ接続した複数の電線、を有する、上記リセプタクルコネクタに着脱可能なプラグコネクタと、
を具備するコネクタにおいて、
上記リセプタクルコンタクトに二股状接続部を形成し、
上記プラグコンタクトに上記二股状接続部に挟み込まれる接触部を形成し、
上記プラグインシュレータにおける上記収納凹部の底面との対向部に、上記電線及びプラグコンタクトを一平面上で嵌合保持する嵌合保持溝を形成し、
上記接触部が、上記プラグインシュレータに対して上記電線の他端部側と反対側に突出し、かつ上記一平面に対して直交する平板であり、
上記各リセプタクルコンタクトを同じ方向に向けたことを特徴とするコネクタ。
【請求項２】
請求項１記載のコネクタにおいて、
上記プラグコンタクトの上記接触部が、対応する上記電線の一端部の延長方向に対して上記電線の並び方向にオフセットしているコネクタ。
【請求項３】
請求項２記載のコネクタにおいて、
プラグコンタクトが、
上記電線の上記一端部に対して直交する方向に延び、かつ上記電線を挟持することにより該電線と導通する二股状部を有する電線接続部と、
上記接触部と、
を備えるコネクタ。
【請求項４】
請求項１から３のいずれか１項記載のコネクタにおいて、
上記リセプタクルコネクタのテール部と、上記リセプタクルインシュレータと一体化している金属部材に形成した補助実装部とを、上記回路基板に実装したコネクタ。
【請求項５】
収納凹部を形成したリセプタクルインシュレータ、及び、該リセプタクルインシュレータに同方向を向いた状態で一方向に並べて支持した、二股状接続部を備えかつ回路基板に実装される複数のリセプタクルコンタクト、を有するリセプタクルコネクタと、接続可能なプラグコネクタであって、
上記収納凹部に全体が収納可能な寸法のプラグインシュレータと、
該プラグインシュレータに上記一方向に並んだ状態で支持した、上記リセプタクルコンタクトと同数のプラグコンタクトと
各プラグコンタクトにその一端部をそれぞれ接続した複数の電線と、を有し、
上記プラグコンタクトに上記二股状接続部に挟み込まれる接触部を形成し、
上記プラグインシュレータにおける上記収納凹部の底面との対向部に、上記電線及びプラグコンタクトを一平面上で嵌合保持する嵌合保持溝を形成し、
上記接触部が、上記プラグインシュレータに対して上記電線の他端部側と反対側に突出し、かつ上記一平面に対して直交する平板であることを特徴とするプラグコネクタ。
【請求項６】
請求項１から４のいずれか１項記載のコネクタまたは請求項５記載のプラグコネクタを備えたことを特徴とする携帯端末。
【発明の詳細な説明】
【技術分野】
【０００１】
本発明は、電線に接続するプラグコンタクトを有するプラグコネクタ、このプラグコネクタと基板に実装されたリセプタクルコネクタとを備えるコネクタ、及び携帯端末に関する。
【背景技術】
【０００２】
携帯電話、ＰＤＡ（Personal Digital Assistant）、その他の情報携帯端末の構成部品の一部（例えばスピーカー、マイク、バイブレーションモータ）は回路基板に半田付けした後に行うリフローに対応できないため、回路基板に直接実装できない。
そのため、回路基板にリセプタクルコネクタを実装するとともに、当該部品を電線を介してプラグコネクタに接続し、このリセプタクルコネクタとプラグコネクタを接続するのが一般的である。
【０００３】
特許文献１にはこのタイプのコネクタが開示してある。
即ち、特許文献１のリセプタクルコネクタ１００は、凹部１０４を有するリセプタクルインシュレータ１０２と、リセプタクルインシュレータ１０２の内壁１１０と側壁１１６に互いに対向するように固定した、回路基板に実装される一対のリセプタクルコンタクト１３２と、を備えており、プラグコネクタ１０は、凹部１０４に完全に収納可能な寸法のプラグインシュレータ２と、プラグインシュレータ２に固定した一対のプラグコンタクト１１と、両プラグコンタクト１１に一端部をそれぞれ接続しかつ他端部に上記部品を接続した一対の電線（ケーブル）Ｗと、を備えている。
従って、リセプタクルインシュレータ１０２の凹部１０４にプラグインシュレータ２を嵌合すると、プラグインシュレータ２が凹部１０４に完全に収納させ、かつ対応するプラグコンタクト１１とリセプタクルコンタクト１３２が互いに接触するので、上記回路基板と電線Ｗが電気的に導通する。
【特許文献１】特許第３７４５１３号公報
【発明の開示】
【発明が解決しようとする課題】
【０００４】
特許文献１のコネクタでは、一対のプラグコンタクト１１をプラグインシュレータ２の両側部に固定しているので、プラグコンタクト１１を３極以上に多極化するのが難しい。また、一対のリセプタクルコンタクト１３２がリセプタクルインシュレータ１０２の長手方向に離間した状態で互いに向かい合っているので、リセプタクルコンタクト１３２も多極化が難しい。仮にリセプタクルコンタクト１３２を電線Ｗの並び方向に等ピッチで多極化（例えば４極）すると、リセプタクルインシュレータ１０２がリセプタクルコンタクト１３２の並び方向に大型化してしまい、同様にプラグインシュレータ２も大型化してしまう。
【０００５】
さらに、プラグコンタクト１１とリセプタクルコンタクト１３２は単に片側の一方のみから接触しているだけなので、電線Ｗの引き回しによる屈曲、振れ、引張り等の外力が及んだ場合に安定した接触状態を維持するのが難しい。
特に、電線Ｗが２本の電線の並び方向に撓んだ場合はその恐れが強い。即ち、この場合は電線Ｗから力を受けたリセプタクルインシュレータ１０２が電線Ｗの並び方向に振れるので、一方のプラグコンタクト１１とリセプタクルコンタクト１３２の接触圧力が高まる一方で他方のプラグコンタクト１１とリセプタクルコンタクト１３２の接触圧力は低下してしまう。即ち、電線Ｗへの外力により接触抵抗等が変動し易くなるので、コネクタとしての電気的特性を安定させたり、電線間の特性差を抑えることが難しいという傾向があった。
【０００６】
本発明の目的は、インシュレータの大型化を抑制しながらプラグコンタクト及びリセプタクルコンタクトの多極化を図ることができ、しかもプラグコンタクトとリセプタクルコンタクトを安定した状態で接触させることが可能なコネクタ、プラグコネクタ、及び携帯端末を提供することにある。
【課題を解決するための手段】
【０００７】
本発明のコネクタは、収納凹部を形成したリセプタクルインシュレータ、及び、該リセプタクルインシュレータに一方向に並んだ状態で支持した、回路基板に実装される複数のリセプタクルコンタクト、を有するリセプタクルコネクタと、上記収納凹部に全体が収納可能な寸法のプラグインシュレータ、該プラグインシュレータに上記一方向に並んだ状態で支持した、上記リセプタクルコンタクトと同数のプラグコンタクト、及び、各プラグコンタクトにその一端部をそれぞれ接続した複数の電線、を有する、上記リセプタクルコネクタに着脱可能なプラグコネクタと、を具備するコネクタにおいて、上記リセプタクルコンタクトに二股状接続部を形成し、上記プラグコンタクトに上記二股状接続部に挟み込まれる接触部を形成し、上記プラグインシュレータにおける上記収納凹部の底面との対向部に、上記電線及びプラグコンタクトを一平面上で嵌合保持する嵌合保持溝を形成し、上記接触部が、上記プラグインシュレータに対して上記電線の他端部側と反対側に突出し、かつ上記一平面に対して直交する平板であり、上記各リセプタクルコンタクトを同じ方向に向けたことを特徴としている。
【０００８】
上記プラグコンタクトの上記接触部が、対応する上記電線の一端部の延長方向に対して上記電線の並び方向にオフセットしているのが好ましい。
このようなオフセット状態を作り出すためには、例えば、プラグコンタクトを、上記電線の上記一端部に対して直交する方向に延び、かつ上記電線を挟持することにより該電線と導通する二股状部を有する電線接続部と、上記接触部と、を備えるものとすればよい。
【０００９】
さらに、上記リセプタクルコネクタのテール部と、上記リセプタクルインシュレータと一体化している金属部材に形成した補助実装部とを、上記回路基板に実装するのが好ましい。
【００１０】
本発明のプラグコネクタは、収納凹部を形成したリセプタクルインシュレータ、及び、該リセプタクルインシュレータに同方向を向いた状態で一方向に並べて支持した、二股状接続部を備えかつ回路基板に実装される複数のリセプタクルコンタクト、を有するリセプタクルコネクタと、接続可能なプラグコネクタであって、上記収納凹部に全体が収納可能な寸法のプラグインシュレータと、該プラグインシュレータに上記一方向に並んだ状態で支持した、上記リセプタクルコンタクトと同数のプラグコンタクトと、各プラグコンタクトにその一端部をそれぞれ接続した複数の電線と、を有し、上記プラグコンタクトに上記二股状接続部に挟み込まれる接触部を形成し、上記プラグインシュレータにおける上記収納凹部の底面との対向部に、上記電線及びプラグコンタクトを一平面上で嵌合保持する嵌合保持溝を形成し、上記接触部が、上記プラグインシュレータに対して上記電線の他端部側と反対側に突出し、かつ上記一平面に対して直交する平板であることを特徴としている。
【００１１】
上記コネクタまたはプラグコネクタは、例えば携帯端末に搭載可能である。
【発明の効果】
【００１２】
請求項１及び請求項５の発明によると、プラグコンタクトの接触部が電線及びプラグコンタクトが位置する一平面に対して直交する板状なので、プラグコンタクトを上記一方向に等ピッチで多極化（例えば４極）しても、プラグインシュレータが上記一方向に極端に大きくなることがない。
さらに、各リセプタクルコンタクトを向かい合わせではなく同じ方向に向けた状態で一方向に並べているので、リセプタクルコンタクトを上記一方向に等ピッチで多極化（例えば４極）しても、リセプタクルインシュレータが上記一方向に極端に大きくなることがない。
【００１３】
また請求項１の発明によると、リセプタクルコンタクトが二股状接続部を備え、この二股状接続部でプラグコンタクトの平板状の接触部を挟み込むので、信頼性の高い電気的な接続状態を実現できる。
特に電線が電線の並び方向に撓んだ場合にその効果が顕著である。即ち、電線が振れるとプラグコネクタがリセプタクルインシュレータの収納凹部内で僅かに回転するが、リセプタクルコンタクトの二股状接続部はプラグコンタクトの接触部を挟み込み続ける。さらに、この場合のプラグコネクタは二股状接続部と接触部の接触点付近を中心に回転するので、当該接触点には大きな力（回転モーメント）は掛かり難い。従って、電線が電線の並び方向に撓んでもプラグコンタクトとリセプタクルコンタクトは安定した挟み込みによる接触状態を維持できる。よって、電線の引き回し等により外力が掛かったとしても、コネクタとしての電気的特性が安定し且つ電線間で特性差が出ないコネクタを提供できる。
【００１４】
請求項２及び３記載の発明によると、プラグコンタクトの接触部が対応する電線の一端部の延長方向に対してオフセットしているので、プラグコネクタ（プラグインシュレータ）は表裏の向きを正しい状態にしないとリセプタクルコネクタ（リセプタクルインシュレータ）に接続できない。従って、プラグコネクタとリセプタクルコネクタの誤嵌合を確実に防止できる。
また、使用者はプラグコンタクトの接触部が電線に対してオフセットしていることを視覚的に認識できるので、このオフセット状態に基づいてプラグインシュレータの表裏を正しく認識できる。そのため、プラグコネクタ（プラグインシュレータ）の表裏の向きを逆にしてリセプタクルコネクタ（リセプタクルインシュレータ）に接続しようとするおそれは小さい。
【００１５】
請求項４記載の発明によると、回路基板に対するリセプタクルコネクタの実装強度が向上する。従って、例えば電線が振れてもリセプタクルコンタクトとプラグコンタクトの接触状態に及ぶ影響を小さくできる。
【発明を実施するための最良の形態】
【００１６】
以下、添付図面を参照しながら本発明の一実施形態について説明する。なお、以下の説明中の前後、上下、及び左右の方向は、図中の矢印の方向を基準としている。
本実施形態のコネクタ１０は、互いに接続及び分離可能なリセプタクルコネクタ２０とプラグコネクタ７０からなるものであり、例えば、携帯電話（携帯端末）、ＰＤＡ（Personal Digital Assistant）、その他の情報携帯端末に内蔵した構成部品（例えばスピーカー、マイク、バイブレーションモータ）と回路基板ＣＢとを電気的に接続する、高さ１ｍｍ程度の低背コネクタである。
【００１７】
まずリセプタクルコネクタ２０について主に図１０から図１３を利用して説明する。
リセプタクルコネクタ２０は大きな構成要素としてリセプタクルインシュレータ２１と、一対のリセプタクルコンタクト５０と、一対の補強金具（金属部材）６０を具備している。
リセプタクルインシュレータ２１は絶縁性かつ耐熱性の合成樹脂材料（例えばナイロン、液晶ポリマー、ポリフェニレンサルファイド）を射出成形した略直方体形状の部材である。
リセプタクルインシュレータ２１の後部にはリセプタクルインシュレータ２１の上面から下方に向かって凹みかつ後端が開口する収納凹部２２が凹設してある。収納凹部２２の左右をそれぞれ囲む左側壁部２４と右側壁部２５の内面にはそれぞれロック爪２６が突設してある。さらに、左側壁部２４及び右側壁部２５には左側壁部２４と右側壁部２５を上下方向に貫通する平面視Ｔ字形の金具係止孔２７が形成してあり、左右の金具係止孔２７の前後には係止面２８が形成してある。収納凹部２２の直前に位置する前側壁部２９には左右一対のスリット３０が形成してある。さらに、左側壁部２４と右側壁部２５の内面の後端部には略三角柱形状の支柱部３１が突設してあり、左右の支柱部３１の上端部には該上端部の一部を切り落とすことにより成形した三角形状の傾斜支持面３２が形成してある。
さらに、前側壁部２９の直前には前側壁部２９から前方に延びる仕切壁３３によって左右に区切られた２つのコンタクト取付部３４、３５が形成してある。コンタクト取付部３４とコンタクト取付部３５の後半部の底面を塞ぐ底板部３６、３７の上面前端部には垂直の支持壁部３８、３９が突設してあり、支持壁部３８、３９の後面には上下方向に延びる逃げ溝４０が凹設してある。また、支持壁部３８と支持壁部３９の直前にはリセプタクルインシュレータ２１の前端部を凹設することにより形成した係合凹部４１、４２が形成してある。
【００１８】
リセプタクルコンタクト５０は、ばね弾性を備えた銅合金（例えばリン青銅、ベリリウム銅、チタン銅）やコルソン系銅合金の薄板を図示の形状に順送金型（スタンピング）により成形加工したものであり、表面にニッケルメッキで下地を形成した後に、金メッキを施している。
リセプタクルコンタクト５０は、テール部５１から上方に向かって延びる垂直部５２と、垂直部５２の上部から後方に向かう二股状接続部５３と、を備えている。二股状接続部５３は左右一対の把持接続片５４、５５からなるものである。右側の把持接続片５４と左側の把持接続片５５は共に、垂直部５２の上部から後方に延びた後に一旦下向きに延び、さらに下方から上方に向かって延びている。把持接続片５４と把持接続片５５の後端部（下方から上方に延びる部分）が接続部５６、５７を構成しており、接続部５６及び接続部５７には互いに対向する挟持用突部５８がそれぞれ突設してある。さらに、垂直部５２の左右両側面には一対の係止爪５９が突設してある。
上述のようにリセプタクルコンタクト５０の表面にはメッキを施してあるが、テール部５１、接続部５６、５７の表面のみに金メッキを施してもよい（テール部５１と接続部５６、５７の間の表面部はニッケルメッキを露出させる）。このようにすれば、リセプタクルコンタクト５０に対するはんだ上りを確実に防止できる。
２つのリセプタクルコンタクト５０はリセプタクルインシュレータ２１のコンタクト取付部３４とコンタクト取付部３５に、互いに同じ方向を向き、かつ左右方向に並んだ状態で取り付けられる。具体的には、把持接続片５４及び把持接続片５５の略水平な基端部（垂直部５２の上部に連なる部分）を支持壁部３８、３９の上面に係合し、把持接続片５４及び把持接続片５５の後部を底板部３６、３７の直上に位置させ、垂直部５２を係合凹部４１、４２内に位置させる。すると図３、図６から図９に示すように、テール部５１がリセプタクルインシュレータ２１の下方に突出する。さらに、左右のリセプタクルコンタクト５０の係止爪５９が係合凹部４１、４２の左右両側壁に係合するので、左右のリセプタクルコンタクト５０がコンタクト取付部３４、３５に固定される。
【００１９】
補強金具６０は金属の平板を加工したものであり、その表面にはニッケルメッキで下地を形成した後に、金メッキや半田メッキを施している。補強金具６０は、その下端部をなす半田付け部（補助実装部）６１と、上端部から前後に延びる一対の係合突部６２と、係合突部６２の下方において前方と後方にそれぞれ突出する一対の係止爪６３と、を具備している。
左右の補強金具６０を左右の金具係止孔２７に上方から嵌合すると、前後の係合突部６２がリセプタクルインシュレータ２１の前後の係止面２８に接触し、図３、図６から図９に示すように、半田付け部６１がリセプタクルインシュレータ２１の下方に突出する。さらに、前後の係止爪６３が金具係止孔２７の前壁と後壁に係合（圧接）するので、左右の補強金具６０は左右の金具係止孔２７にそれぞれ固定される（一体化する）。
このようにリセプタクルインシュレータ２１、リセプタクルコンタクト５０、及び補強金具６０を一体化することによりリセプタクルコネクタ２０を構成した後に、リセプタクルインシュレータ２１の下面に突出する各テール部５１を回路基板ＣＢ（図１、図２等参照）の信号用パターン（図示略）に半田付けし、さらにリセプタクルインシュレータ２１の下面に突出する各半田付け部６１を回路基板ＣＢの接地等のパターン（図示略）に半田付けする。
【００２０】
次に、プラグコネクタ７０について主に図１４から図１９を利用して説明する。
プラグコネクタ７０は大きな構成要素としてプラグインシュレータ７１と、一対のケーブル１００と、一対のプラグコンタクト１１０と、を具備している。
プラグインシュレータ７１は絶縁性の合成樹脂材料（例えばポリカーボネート、ナイロン、ポリフェニレンサルファイド等）を射出成形した略直方体形状の部材であり、リセプタクルインシュレータ２１の収納凹部２２に完全に収納可能な寸法である。図示するように、プラグインシュレータ７１は、後壁部７２、前壁部７３、右側壁部７４、左側壁部７５及び後壁部７２と前壁部７３を接続する中央壁部７６を有している。後壁部７２には正面視略円形をなす円形凹部７８が左右一対として設けてある。
後壁部７２、前壁部７３、右側壁部７４及び中央壁部７６によって囲まれた部分の天井面には、共に円形凹部７８と同軸かつ同曲率の断面円弧形状をなす中央円弧面７９及び前側円弧面８０が前後に並べて設けてある。さらに、円形凹部７８と中央円弧面７９の間には両者を接続する接続円弧面８１が形成してあり、中央円弧面７９と前側円弧面８０の間には両者を接続する接続円弧面８２が形成してある。この接続円弧面８１及び接続円弧面８２も円形凹部７８と同軸かつ同曲率の断面円弧形状である。さらに、上記天井面には左右一対をなす把持片用凹部８４と把持片用凹部８５が前後に並べて穿設してあり、かつ該天井面における中央円弧面７９、左側の把持片用凹部８４、及び左側の把持片用凹部８５の左側には連結部用凹部８６が凹設してある。また、上記天井面における前側円弧面８０の右側には中間部用凹部８７が凹設してあり、かつ前壁部７３には中間部用凹部８７と連続する前側貫通孔８８が形成してある。さらに、前壁部７３における前側貫通孔８８の直上には係合凹部８９が凹設してある。
後壁部７２の右半部はこのような構造になっており、後壁部７２の左半部にも同じ形状の円形凹部７８、中央円弧面７９、前側円弧面８０、接続円弧面８１、接続円弧面８２、把持片用凹部８４、把持片用凹部８５、連結部用凹部８６、中間部用凹部８７、前側貫通孔８８、係合凹部８９が形成してある。
さらに、プラグインシュレータ７１後部における左右の上端角部には、リセプタクルインシュレータ２１の傾斜支持面３２と同じ傾斜角度の傾斜当接面９１が形成してあり、プラグインシュレータ７１の左右両側部にはロック用凹部９２が凹設してある。
【００２１】
左右一対のケーブル（電線）１００は、芯線１０１（撚り線や単線）の表面をチューブ状の絶縁体１０２で被覆したものである。絶縁体１０２はプラグインシュレータ７１の円形凹部７８、中央円弧面７９、前側円弧面８０、接続円弧面８１及び接続円弧面８２と同じ略曲率の円筒部材である。
図示を省略してあるが、芯線１０１の他端部（後端部）は情報携帯端末に内蔵した構成部品（例えばスピーカー、マイク、バイブレーションモータ）に接続している。
【００２２】
プラグコンタクト１１０は銅合金（例えばリン青銅、ベリリウム銅、チタン銅）やコルソン系銅合金の薄板を図示の形状に順送金型（スタンピング）により成形加工したものであり、表面にニッケルメッキで下地を形成した後に、金メッキを施している。
図示するようにプラグコンタクト１１０は、前後方向に延びると共にプラグインシュレータ７１と平行な平面（図では水平面）に対して直交する板状の接触部１１１と、接触部１１１の後端から後方に延びる中間部１１２と、中間部１１２の後端から左側に延びる前側電線接続部１１３と、前側電線接続部１１３の左端部から後方に延びる連結部１１４と、連結部１１４の後端から右側に延びる後側電線接続部１１５と、を具備している。さらに、前側電線接続部１１３の上部には左右一対の圧接片１１７が突設してあり、後側電線接続部１１５の上部には左右一対の圧接片１１８が突設してある。また、接触部１１１の上面の後端部には係合突部１２０が突設してあり、後側電線接続部１１５の右側面には係止爪１２１が突設してある。
【００２３】
左右のケーブル１００及びプラグコンタクト１１０はプラグインシュレータ７１の底部に固定されることによりプラグインシュレータ７１と一体化する。
ケーブル１００及びプラグコンタクト１１０をプラグインシュレータ７１に固定するには、まず左右のケーブル１００の前端部（一端部）をプラグインシュレータ７１の左右の円形凹部７８に押し込みながら挿入すると共に接続円弧面８１、中央円弧面７９、接続円弧面８２及び前側円弧面８０に嵌合することにより、左右のケーブル１００をプラグインシュレータ７１の底部に仮保持する。図示するように、円形凹部７８の下端開口部寸法が絶縁体１０２の径より小さいので、仮保持を行った後にケーブル１００が不意に円形凹部７８の下方に抜け落ちることはない。そして、左右のプラグコンタクト１１０の一対の圧接片１１８をプラグインシュレータ７１の一対の把持片用凹部８４に嵌合し、かつ一対の圧接片１１７を一対の把持片用凹部８５に嵌合し、連結部１１４を対応する連結部用凹部８６に係合させ、中間部１１２を中間部用凹部８７に係合させ、左右のプラグコンタクト１１０の接触部１１１を左右の前側貫通孔８８からプラグインシュレータ７１の前方に突出させる。すると、係合突部１２０が係合凹部８９の底面（後面）に係合し、かつ、係止爪１２１が右側の把持片用凹部８４の右側壁に係合するので、左右のプラグコンタクト１１０がプラグインシュレータ７１に固定される。さらに、このように左右のプラグコンタクト１１０をプラグインシュレータ７１の底部に固定すると、左右の圧接片１１７及び圧接片１１８が絶縁体１０２の対応部分を破って絶縁体１０２内に位置する芯線１０１を左右から挟持する。従って、左右のプラグコンタクト１１０と芯線１０１が確実に接触し、かつ、ケーブル１００がプラグコンタクト１１０を介してプラグインシュレータ７１に完全に固定される。
そして、このように左右のケーブル１００及びプラグコンタクト１１０をプラグインシュレータ７１に固定すると、各ケーブル１００及びプラグコンタクト１１０が一つの水平面上に位置し（同じ高さに位置し）、かつ、左右のケーブル１００及びプラグコンタクト１１０の下端がプラグインシュレータ７１の底面より上方に位置する。さらに、左右の接触部１１１が対応するケーブル１００に対して右側にオフセットする。
【００２４】
リセプタクルコネクタ２０とプラグコネクタ７０を接続するには、まずリセプタクルコネクタ２０とプラグコネクタ７０を図５に示す体勢にする。そして、この体勢を維持したままプラグインシュレータ７１を収納凹部２２に嵌合し、かつ、左右の接触部１１１を左右のスリット３０と、左右のリセプタクルコンタクト５０における接続部５６（挟持用突部５８）と接続部５７（挟持用突部５８）の間とに嵌合し、さらにプラグコンタクト１１０の前端部を左右の逃げ溝４０内に置させる（図４参照）。すると、プラグインシュレータ７１の左右の傾斜当接面９１がリセプタクルインシュレータ２１の左右の傾斜支持面３２に接触する。さらに、リセプタクルインシュレータ２１の左右のロック爪２６がプラグインシュレータ７１の左右のロック用凹部９２に係合するので、プラグインシュレータ７１が収納凹部２２から上方に不意に抜け出すのが防止される。さらに、収納凹部２２の後端開口部の左右寸法（左右の支柱部３１間の左右寸法）よりもプラグインシュレータ７１の左右幅が大きいので、プラグインシュレータ７１が収納凹部２２から後方に不意に抜け出すこともない。
さらに、左右の接触部１１１は、自由状態における左右のリセプタクルコンタクト５０の接続部５６（挟持用突部５８）と接続部５７（挟持用突部５８）より僅かに広幅なので、接触部１１１を接続部５６と接続部５７の隙間に挿入すると、接続部５６と接続部５７が開き方向に僅かに弾性変形し、接続部５６と接続部５７が弾性変形したまま接触部１１１を挟持する。そのため、左右の接触部１１１の両側とリセプタクルコンタクト５０が確実に２点で接触し、左右の接触部１１１と左右のリセプタクルコンタクト５０を介して、左右のケーブル１００の後端部に接続した上記構成部品と回路基板ＣＢが電気的に接続する。
【００２５】
以上説明した本実施形態では、一対のケーブル１００及びリセプタクルコンタクト５０をプラグインシュレータ７１に一つの水平面上に位置する（同じ高さに位置する）ように支持しているのでプラグインシュレータ７１を低背化できる。しかも、リセプタクルコネクタ２０とプラグコネクタ７０を接続したときにリセプタクルインシュレータ２１の収納凹部２２にプラグインシュレータ７１全体が収納されるので、コネクタ１０全体を低背化できる。
さらに、一対のリセプタクルコンタクト５０を、（向かい合わせではなく）同じ方向に向けつつ左右方向に並べてリセプタクルインシュレータ２１に固定しており、かつプラグコンタクト１１０の接触部１１１が、ケーブル１００及びプラグコンタクト１１０が位置する水平面に対して直交する板状なので、左右（幅）方向に等ピッチでの多極化が可能であり、信号線（電線数）が増加しても低背・小型のコネクタを提供することができる。
【００２６】
また、リセプタクルコンタクト５０が二股状接続部５３を備え、この二股状接続部５３でプラグコンタクト１１０の接触部１１１を把持するので、信頼性の高い電気的な接続状態を実現できる。特にケーブル１００が左右方向に撓んだ場合にその効果が顕著である。
即ち、ケーブル１００が振れるとプラグコネクタ７０がリセプタクルインシュレータ２１の収納凹部２２内で僅かに回転するが、リセプタクルコンタクト５０の二股状接続部５３はプラグコンタクト１１０の接触部１１１を挟み込み続ける。さらに、この場合のプラグコネクタ７０は二股状接続部５３と接触部１１１の接触点付近を中心に回転するので、当該接触点には大きな力（回転モーメント）は掛からない。従って、ケーブル１００が左右方向に撓んでもプラグコンタクト１１０とリセプタクルコンタクト５０は安定した接触状態を維持し易い。よって、ケーブル１００の引き回し等により外力が掛かったとしても、コネクタ１０としての電気的特性を安定させ且つ左右のケーブル１００間で特性差が出るのを防止できる。
【００２７】
さらに、プラグコンタクト１１０の接触部１１１が対応するケーブル１００の前端部の延長方向（前後方向）に対して右側にオフセットしているので、プラグコネクタ７０（プラグインシュレータ７１）は表裏の向きを正しい状態にしないとリセプタクルインシュレータ２１（リセプタクルコネクタ２０）に接続できない。さらに、プラグインシュレータ７１に左右一対の傾斜当接面９１を形成し、かつリセプタクルインシュレータ２１に左右一対の傾斜支持面３２を形成しているので、プラグインシュレータ７１の表裏を逆向きにして収納凹部２２に嵌合しようとすると、左右の傾斜当接面９１がリセプタクルインシュレータ２１の上面に接触してしまい、プラグインシュレータ７１を収納凹部２２に嵌合できない。従って、プラグコネクタ７０とリセプタクルコネクタ２０の誤嵌合を効果的に防止できる。
また、プラグコネクタ７０とリセプタクルコネクタ２０を接続する作業者は、接触部１１１がケーブル１００に対してオフセットしていることを視覚的に認識できるので、プラグコネクタ７０（プラグインシュレータ７１）の表裏を正しく認識できる。そのため、プラグコネクタ７０（プラグインシュレータ７１）の表裏の向きを逆にしてリセプタクルコネクタ２０（リセプタクルインシュレータ２１）に接続しようとするおそれは小さい。
さらに、リセプタクルインシュレータ２１に左右一対の補強金具６０を嵌合固定し、その半田付け部６１を回路基板ＣＢに半田付けしているので、リセプタクルインシュレータ２１の回路基板ＣＢに対する剥離強度は高い。
【００２８】
以上、本発明を上記本実施形態に基づいて説明したが、本発明は様々な変形を施しながら実施可能である。
例えば、本実施形態ではリセプタクルコンタクト５０とプラグコンタクト１１０を２極として実施したが３極以上として実施してもよい。
また、上記実施形態ではプラグコンタクト１１０に２つの電線接触部（前側電線接続部１１３、後側電線接続部１１５）を形成しているが、一方の電線接触部を省略してもよい。
さらに、補助実装部として２つの補強金具６０を用いているが、補強金具６０を用いる代わりに、リセプタクルコンタクト５０にテール部５１とは位置を異ならせて回路基板ＣＢに実装する補助実装部を突設してもよい。
【図面の簡単な説明】
【００２９】
【図１】本発明の一実施形態のプラグコネクタとリセプタクルコネクタを組み付けたときの後ろ斜め上方から見た斜視図である。
【図２】プラグコネクタとリセプタクルコネクタを組み付けたときの前斜め上方から見た斜視図である。
【図３】プラグコネクタとリセプタクルコネクタを組み付けたときの前斜め下方から見た斜視図である。
【図４】プラグコネクタとリセプタクルコネクタを組み付けたときの平面図である。
【図５】プラグコネクタとリセプタクルコネクタを組み付ける前の分解斜視図である。
【図６】図４のVI−VI矢線に沿う断面図である。
【図７】図４のVII−VII矢線に沿う断面図である。
【図８】図４のVIII−VIII矢線に沿う断面図である。
【図９】図４のIX−IX矢線に沿う断面図である。
【図１０】リセプタクルコネクタの後ろ斜め上方から見た斜視図である。
【図１１】リセプタクルコネクタの後ろ斜め上方から見た分解斜視図である。
【図１２】リセプタクルコネクタの前斜め上方から見た分解斜視図である。
【図１３】リセプタクルインシュレータの平面図である。
【図１４】プラグコネクタの後ろ斜め上方から見た斜視図である。
【図１５】プラグコネクタの前斜め下方から見た斜視図である。
【図１６】プラグコネクタの後ろ斜め上方から見た分解斜視図である。
【図１７】プラグコネクタの前斜め下方から見た分解斜視図である。
【図１８】プラグインシュレータの底面図である。
【図１９】プラグインシュレータの正面図である。
【符号の説明】
【００３０】
１０    コネクタ
２０    リセプタクルコネクタ
２１    リセプタクルインシュレータ
２２    収納凹部
２４    左側壁部
２５    右側壁部
２６    ロック爪
２７    金具係止孔
２８    係止面
２９    前側壁部
３０    スリット
３１    支柱部
３２    傾斜支持面
３３    仕切壁
３４  ３５  コンタクト取付部
３６  ３７  底板部
３８  ３９  支持壁部
４０    逃げ溝
４１  ４２  係合凹部
５０    リセプタクルコンタクト
５１    テール部
５２    垂直部
５３    二股状接続部
５４  ５５  把持接続片
５６  ５７  接続部
５８    挟持用突部
５９    係止爪
６０    補強金具（金属部材）
６１    半田付け部（補助実装部）
６２    係合突部
６３    係止爪
７０    プラグコネクタ
７１    プラグインシュレータ
７２    後壁部
７３    前壁部
７４    右側壁部
７５    左側壁部
７６    中央壁部
７８    円形凹部（嵌合保持溝）
７９    中央円弧面（嵌合保持溝）
８０    前側円弧面（嵌合保持溝）
８１  ８２  接続円弧面（嵌合保持溝）
８４  ８５  把持片用凹部（嵌合保持溝）
８６    連結部用凹部（嵌合保持溝）
８７    中間部用凹部（嵌合保持溝）
８８    前側貫通孔（嵌合保持溝）
８９    係合凹部
９１    傾斜当接面
９２    ロック用凹部
１００  電線（ケーブル）
１０１  芯線
１０２  絶縁体
１１０  プラグコンタクト
１１１  接触部
１１２  中間部
１１３  前側電線接続部
１１４  連結部
１１５  後側電線接続部
１１７  １１８  圧接片
１２０  係合突部
１２１  係止爪
ＣＢ    回路基板
【図１】
2009181769.tif 000003
【図２】
2009181769.tif 000004
【図３】
2009181769.tif 000005
【図４】
2009181769.tif 000006
【図５】
2009181769.tif 000007
【図６】
2009181769.tif 000008
【図７】
2009181769.tif 000009
【図８】
2009181769.tif 000010
【図９】
2009181769.tif 000011
【図１０】
2009181769.tif 000012
【図１１】
2009181769.tif 000013
【図１２】
2009181769.tif 000014
【図１３】
2009181769.tif 000015
【図１４】
2009181769.tif 000016
【図１５】
2009181769.tif 000017
【図１６】
2009181769.tif 000018
【図１７】
2009181769.tif 000019
【図１８】
2009181769.tif 000020
【図１９】
2009181769.tif 000021
【手続補正書】
【提出日】平成21年1月20日(2009.1.20)
【手続補正１】
【補正対象書類名】明細書
【補正対象項目名】０００３
【補正方法】変更
【補正の内容】
【０００３】
特許文献１にはこのタイプのコネクタが開示してある。
即ち、特許文献１のリセプタクルコネクタ１００は、凹部１０４を有するリセプタクルインシュレータ１０２と、リセプタクルインシュレータ１０２の内壁１１０と側壁１１６に互いに対向するように固定した、回路基板に実装される一対のリセプタクルコンタクト１３２と、を備えており、プラグコネクタ１０は、凹部１０４に完全に収納可能な寸法のプラグインシュレータ２と、プラグインシュレータ２に固定した一対のプラグコンタクト１１と、両プラグコンタクト１１に一端部をそれぞれ接続しかつ他端部に上記部品を接続した一対の電線（ケーブル）Ｗと、を備えている。
従って、リセプタクルインシュレータ１０２の凹部１０４にプラグインシュレータ２を嵌合すると、プラグインシュレータ２が凹部１０４に完全に収納させ、かつ対応するプラグコンタクト１１とリセプタクルコンタクト１３２が互いに接触するので、上記回路基板と電線Ｗが電気的に導通する。
【特許文献１】特開２００４−５５４８５号公報
【手続補正２】
【補正対象書類名】明細書
【補正対象項目名】００２５
【補正方法】変更
【補正の内容】
【００２５】
以上説明した本実施形態では、一対のケーブル１００及びプラグコンタクト１１０をプラグインシュレータ７１に一つの水平面上に位置する（同じ高さに位置する）ように支持しているのでプラグインシュレータ７１を低背化できる。しかも、リセプタクルコネクタ２０とプラグコネクタ７０を接続したときにリセプタクルインシュレータ２１の収納凹部２２にプラグインシュレータ７１全体が収納されるので、コネクタ１０全体を低背化できる。
さらに、一対のリセプタクルコンタクト５０を、（向かい合わせではなく）同じ方向に向けつつ左右方向に並べてリセプタクルインシュレータ２１に固定しており、かつプラグコンタクト１１０の接触部１１１が、ケーブル１００及びプラグコンタクト１１０が位置する水平面に対して直交する板状なので、左右（幅）方向に等ピッチでの多極化が可能であり、信号線（電線数）が増加しても低背・小型のコネクタを提供することができる。